(57)【要約】  高荷重の材料処理せん断機用の潤滑システム１４０が、潤滑剤をせん断機の１つ又は複数の摩耗部分の１つ又は複数の摩耗面に供給する。システムは、主要な液圧制御システムによって作動される液圧潤滑剤ポンプ１４２を備え、それによってせん断機の顎部１０２、１０４が開閉し、潤滑剤を様々な摩耗部分に順次分配するための連続バルブを備えることができる。潤滑システム１０４は、側方ブレード安定装置１２４、上方及び／又は下方顎部の第１及び第２ブレード、顎部の間及び／又は上方顎部と液圧シリンダの間の旋回連結部、前方摩耗プレート、或いは前記せん断機の任意のその他の摩耗部分のうちの１つ又は複数の摩耗面を潤滑することができる。潤滑システムは、従来の上方顎部１０４を、潤滑システムを備える上方顎部と交換することによって従来の非潤滑のせん断機の上に後付けすることができる。
2008506052.tif 000002
【特許請求の範囲】
【請求項１】
材料処理システムであって、
第１の顎部と、
前記第１の顎部に動作的に連結された第２の顎部と、
前記第１の顎部と前記第２の顎部の間の相対的な移動を可能にする動力を備えるアクチュエータと、
第１のせん断摩耗面を有し、前記第１の顎部及び第２の顎部のうちの一方に配置された第１のせん断摩耗部分とを備え、
システムによって担持され、潤滑剤が潤滑剤導管の第１の端部から流出するとき、潤滑剤を前記第１のせん断摩耗面に供給するように配置された前記第１の端部を有する潤滑剤導管とを備える材料処理システム。
【請求項２】
前記第１のせん断摩耗面が全体的に平面である、請求項１に記載のシステム。
【請求項３】
前記第１のせん断摩耗面が、材料処理システムの動作中に処理される材料に間欠的に接触するように構成される、請求項１に記載のシステム。
【請求項４】
潤滑剤を前記第１のせん断摩耗面に供給するために前記潤滑剤導管に流体的に連結する潤滑剤供給部をさらに備える、請求項１に記載のシステム。
【請求項５】
前記第１のせん断摩耗面が前記第１の顎部に配置され、
前記第１の顎部が前記第２の顎部に対して移動するとき、前記潤滑剤導管の前記第１の端部が前記第１の顎部に対して移動し、
前記第１の端部が前記第１のせん断摩耗面に面する、請求項４に記載のシステム。
【請求項６】
前記動力を備えるアクチュエータが前記顎部のうちの１つに旋回的に連結された液圧シリンダを備える、請求項４に記載のシステム。
【請求項７】
前記第１のせん断摩耗部分が前記顎部のうちの１つにブレードを備える、請求項４に記載のシステム。
【請求項８】
前記潤滑剤送出導管の前記第１の端部が、前記第１のせん断摩耗面に配置された潤滑剤ポートを備える、請求項４に記載のシステム。
【請求項９】
前記第１のせん断摩耗部分が前記顎部のうちの１つにブレードを備える、請求項８に記載のシステム。
【請求項１０】
前記ブレードが、前記顎部のうちの前記１つに取外し可能に装着されたブレード挿入部材を備える、請求項９に記載のシステム。
【請求項１１】
前記顎部のうちの前記１つに溝をさらに備え、前記ブレード挿入部材が、流体導管を形成するために前記溝を密閉し、前記流体導管が前記潤滑剤導管の一部分を定義する、請求項１０に記載のシステム。
【請求項１２】
前記第１の顎部に取外し可能に装着されたブレード挿入部材をさらに備え
前記ブレード挿入部材が第２のせん断摩耗面を有し、
前記第１のせん断摩耗面が、前記第２の摩耗面に隣接する前記第１の顎部の表面を備える、請求項４に記載のシステム。
【請求項１３】
前記第１及び第２の摩耗面が互いにほぼ同一平面上にある、請求項１２に記載のシステム。
【請求項１４】
第２のせん断摩耗面を有する第２のせん断摩耗部分をさらに備え、前記システムの動作中に前記第２の顎部が前記第１の顎部に対して移動すると、前記第１及び第２のせん断摩耗面がせん断する関係で互いに対して移動するように構成されている、請求項４に記載のシステム。
【請求項１５】
前記第１及び第２のせん断摩耗面が、それらが互いにそばを移動するとき、互いから間隔を置いた状態を保つことができる、請求項１４に記載のシステム。
【請求項１６】
前記システムに配置された少なくとも１つのさらなる摩耗面をさらに備え、前記潤滑剤導管が、潤滑剤を前記第１のせん断摩耗面と前記少なくとも１つのさらなる摩耗面に分配するように構成された潤滑剤分配器バルブを備える、請求項４に記載のシステム。
【請求項１７】
前記潤滑剤分配器バルブが、潤滑剤を前記第１のせん断摩耗面、及び前記少なくとも１つのさらなる摩耗面に順次に分配する、請求項１６に記載のシステム。
【請求項１８】
第２の摩耗面を有する第２の摩耗部分をさらに備え、
前記第１のせん断摩耗部分が前記第１の顎部に配置され、
前記第２の摩耗部分が前記第２の顎部に配置され、
前記潤滑剤導管が、潤滑剤を前記第２の摩耗面に供給するように配置された第２の端部を備える、請求項４に記載のシステム。
【請求項１９】
前記潤滑剤導管に動作的に連結された動力を備える潤滑剤ポンプ、及び潤滑剤を前記潤滑剤供給部から前記潤滑剤導管の前記第１の端部にポンプ送出するための前記潤滑剤供給部をさらに備える、請求項４に記載のシステム。
【請求項２０】
前記潤滑剤導管が、潤滑剤分配器バルブを備え、
前記システムが第２の摩耗面を有する第２の摩耗部分をさらに備え、
前記潤滑剤導管が、潤滑剤が前記潤滑剤導管の前記第２の端部を通って流れるとき、潤滑剤を前記第２の摩耗面に供給するように位置付けられた第２の端部を備え、
前記潤滑剤分配器バルブが、潤滑剤を前記ポンプから前記潤滑剤導管の前記第１及び第２の端部に分配する、請求項１９に記載のシステム。
【請求項２１】
前記潤滑剤導管の前記第１及び第２の端部が、前記第１の顎部及び第２の顎部の間の動作的な連結部の一部分、前記顎部のうちの１つと前記動力を備えるアクチュエータとの間の移動可能な連結部の一部分、他方の顎部に装着された側方ブレード安定装置に側方の荷重を伝達するように構成された前記顎部のうちの１つの側方摩耗部分、又は前記顎部のうちの１つのブレードのうちの異なるものに潤滑剤を供給するように位置付けられた、請求項２０に記載のシステム。
【請求項２２】
前記システムがせん断機の本体を備え、
前記第１及び第２の顎部が前記本体に動作的に連結され、
前記潤滑剤ポンプが前記本体内に配置され、
前記動力を備えたアクチュエータが、前記本体に対して前記第１の顎部を移動させ、前記潤滑剤導管が前記ポンプから前記第１の顎部内に延びる、請求項１９に記載のシステム。
【請求項２３】
前記第１の顎部が、前方の摩耗面を有する穿孔チップ部分を備え、
前記第２の顎部が内側摩耗面を有する前方のクロス部材を備え、
前記第１のせん断摩耗面が、前記前方の摩耗面及び前記内側摩耗面のうちの１つによって定義される、請求項４に記載のシステム。
【請求項２４】
材料処理システムであって、
第１の顎部と、
前記第１の顎部に動作的に連結された第２の顎部と、
前記第１の顎部と前記第２の顎部の間の相対的な移動を可能にする動力を備えるアクチュエータと、
前記第１の顎部に配置され、前記顎部の間の旋回的な連結部から間隔を置いて配置された第１の側方安定摩耗面を有する第１の側方安定摩耗部分と、
前記システムによって担持され、潤滑剤が前記潤滑剤導管の前記第１の端部から流出するとき、潤滑剤を前記第１の側方安定摩耗面に供給するように位置付けられた第１の端部を有する潤滑剤導管とを備える材料処理システム。
【請求項２５】
前記第２の顎部に配置された第２の側方安定摩耗部分をさらに備え、前記第２の側方安定摩耗部分が第２の側方安定摩耗面を有し、前記第１の顎部が材料処理中に前記第２の側方安定摩耗部分に向かって側方にそれる場合、前記第１の側方安定摩耗部分が側方の荷重を前記第２の側方安定摩耗部分に伝達するように構成される、請求項２４に記載のシステム。
【請求項２６】
第１の顎部及び第２の顎部であって、それらの間の相対的な移動のために連結される前記第１の顎部及び第２の顎部と、
前記第１の顎部のせん断摩耗面と、
少なくとも部分的には前記第１の顎部によって担持され、潤滑剤を前記摩耗面の上に射出するように配置された出口を有する潤滑剤導管とを備える材料処理せん断機。
【請求項２７】
第１の顎部と、
前記第１の顎部に動作的に連結された第２の顎部と、
前記顎部の間の前記旋回的な連結部から間隔を置いて配置された、前記第１の顎部の第１の側方安定摩耗面と、
少なくとも部分的には前記第１の顎部によって担持され、潤滑剤を前記側方安定摩耗面の上に射出するように配置された出口を有する潤滑剤導管とを備える材料処理せん断機。
【請求項２８】
取付面を備える顎部を有する材料処理せん断機に使用するための摩耗プレートであって、その取付面に対して前記摩耗プレートが取り付けられるように構成され、
摩耗面を有し、前記摩耗プレートを前記顎部への動作位置に固定できるようにする固定領域を有する本体と、
潤滑剤を前記摩耗面に導くために前記本体に配置された潤滑剤導管であって、前記潤滑剤導管が前記顎部の対応する潤滑剤供給導管に嵌合するように配置された前記潤滑剤導管とを備える摩耗プレート。
【請求項２９】
前記摩耗面に沿って形成され、前記潤滑剤導管に流体的に連結された潤滑剤分散溝をさらに備える、請求項２８に記載の摩耗プレート。
【請求項３０】
前記潤滑剤導管が前記本体を貫通して延びるボアを備える、請求項２８に記載の摩耗プレート。
【請求項３１】
前記潤滑剤導管が前記本体内の溝を備える、請求項２８に記載の摩耗プレート。
【請求項３２】
前記摩耗プレートがブレード挿入部材を備える、請求項２８に記載の摩耗プレート。
【請求項３３】
前記摩耗プレートが、前記摩耗面の側方表面上に配置された前記摩耗面を有する側方摩耗プレートを備える、請求項２８に記載の摩耗プレート。
【請求項３４】
前記摩耗プレートが、中心の横断方向の軸の周りを１８０°だけ回転し、前記顎部の前記取付面に対して復座できるように構成される穿孔チップを備える、請求項２８に記載の摩耗プレート。
【請求項３５】
前記摩耗プレートが穿孔チップを備え、前記摩耗面が前記穿孔チップの前方の表面に配置される、請求項２８に記載の摩耗プレート。
【請求項３６】
前記摩耗プレートが穿孔チップを備え、前記摩耗面が前記穿孔チップの側方表面に配置される、請求項２８に記載の摩耗プレート。
【請求項３７】
前記摩耗プレートが前方のクロス部材を備え、前記摩耗面が前記前方のクロス部材の内側表面に配置される、請求項２８に記載の摩耗プレート。
【請求項３８】
前記固定領域がボルト穴を備える、請求項２８に記載の摩耗プレート。
【請求項３９】
前記潤滑剤導管が前記ボルト穴から間隔を置いて配置され、前記潤滑剤導管が前記ボルト穴よりも実質的に小さな断面領域を有する、請求項３８に記載の摩耗プレート。
【請求項４０】
前記潤滑剤導管が前記ボルト穴を貫通して延びる、請求項３８に記載の摩耗プレート。
【請求項４１】
取付面を有し、それに対して前記摩耗プレートが取り付けられる第１の顎部と、
前記第１の顎部に動作的に連結された第２の顎部と、
前記第１の顎部と前記第２の顎部の間の相対的な移動を可能にする動力を備えるアクチュエータと、
前記第１の顎部に配置され、前記摩耗プレートの前記潤滑剤導管に流体的に連結された潤滑剤供給導管とを備える、材料処理せん断機と組み合わさった、請求項２８に記載の摩耗プレート。
【請求項４２】
潤滑剤を前記摩耗面に供給するために前記潤滑剤供給導管に流体的に連結された潤滑剤供給部をさらに備える、請求項４１に記載の組合せ。
【請求項４３】
材料処理せん断機を潤滑する方法であって、前記せん断機が第２の顎部に移動可能に連結された第１の顎部を備え、前記顎部のうちの１つがせん断摩耗面を有し、前記せん断機が前記顎部のうちの一方を前記顎部の他方に対して移動可能に駆動させる、動力を備えるアクチュエータを備え、前記方法が前記せん断機によって担持された潤滑剤導管を介して潤滑剤を前記せん断摩耗面に加えるステップを含む方法。
【請求項４４】
前記潤滑剤導管が前記せん断摩耗面に配置された潤滑剤ポートを備える、請求項４３に記載の方法。
【請求項４５】
前記潤滑剤導管が前記せん断機内から前記せん断摩耗面に延出する、請求項４３に記載の方法。
【請求項４６】
潤滑剤が前記潤滑剤導管を通って流れるとき、前記潤滑剤導管が潤滑剤を前記せん断摩耗面に供給するように位置付けられた第１の端部を備える、請求項４３に記載の方法。
【請求項４７】
動力を備える潤滑ポンプを介して、潤滑剤を前記潤滑剤導管に供給するステップをさらに備える、請求項４３に記載の方法。
【請求項４８】
前記動力を備えるアクチュエータが液圧シリンダを備え、前記方法はさらに、前記液圧シリンダを動作させることによって前記動力を備える潤滑剤ポンプに動力を与えるステップを備える、請求項４７に記載の方法。
【請求項４９】
潤滑された材料処理システムを作る方法であって、前記方法が、
第１の顎部を第２の顎部に移動可能に連結するステップであって、前記第１の顎部が第１のせん断摩耗面を有する第１のせん断摩耗部分を備えるステップと、
前記潤滑導管の第１の端部が、潤滑剤を前記第１のせん断摩耗面に供給するように位置付けされるように、潤滑剤導管を前記顎部のうちの１つに装着するステップと、
前記潤滑剤ポンプの動作によって潤滑剤がポンプ送出され、前記潤滑剤導管を通って、前記第１のせん断摩耗面の上に達するように、潤滑剤ポンプを前記潤滑導管に動作的に連結するステップとを含む方法。
【請求項５０】
前記第１の顎部を前記第２の顎部に移動可能に連結する前に、前記第２の顎部から第３の顎部を取り外すステップをさらに備え、
前記潤滑剤導管が前記第１の顎部を貫通して延び、
前記第３の顎部が潤滑剤導管を備えない、請求項４９に記載の方法。
【発明の詳細な説明】
【技術分野】
【０００１】
本出願は、その内容が全体的に参照によって本明細書に組み込まれる２００５年６月２３日提出のＬＵＢＲＩＣＡＴＩＮＧ  ＳＹＳＴＥＭ  ＦＯＲ  ＭＡＴＥＲＩＡＬ−ＰＲＯＣＥＳＳＩＮＧ  ＳＨＥＡＲＳという名称の米国特許出願第１１／１５９４０８号、及び２００５年３月１日提出のＬＵＢＲＩＣＡＴＩＮＧ  ＳＹＳＴＥＭ  ＦＯＲ  ＭＥＴＡＬ−ＤＥＭＯＬＩＴＩＯＮ  ＳＨＥＡＲＳという名称の米国特許出願第１１／０６８０４１号、及び２００４年７月８日提出のＬＵＢＲＩＣＡＴＩＮＧ  ＳＹＳＴＥＭ  ＦＯＲ  ＭＥＴＡＬ−ＤＥＭＯＬＩＴＩＯＮ  ＳＨＥＡＲＳという名称の米国特許出願第１０／８８６０５２号からの優先権の利益を主張するものである。
【０００２】
本発明は、潤滑する必要のある摩耗面を有する摩耗部品を備える高荷重の機械に関する。より詳細には、本発明は、コンクリート及び鋼の処理及び破壊に使用されるせん断アタッチメント及び多顎型（ｍｕｌｔｉ  ｊａｗ）処理器などの高荷重の可搬式せん断機及び破壊アタッチメントに関する。
【背景技術】
【０００３】
全体的に、図１及び２に示されるように、本発明による潤滑システムを組み込むことができる種類の高荷重の金属破壊せん断機１０は、固定式の下方顎部１２、及びせん断機１０を開閉するために旋回構造１６の周りを旋回する固定式の上方顎部１４を有する。液圧シリンダ１８は、せん断機１０を開閉するために上方顎部１４を駆動する。せん断機１０は、上方顎部１４の取付面（ｓｅａｔｉｎｇ  ｓｕｒｆａｃｅ）に装着された、それぞれ上方第１ブレード挿入部材２０及び上方第２ブレード挿入部材２２、及び右手下方顎部側面プレート１２ｂの取付面に装着された、それぞれ下方第１ブレード挿入部材２４及び下方第２ブレード挿入部材２６を備える。ブレード挿入部材２０〜２６は協働して、せん断様式でせん断機１０によって処理されている材料を切断する。下方顎部は、２つの側面及び端部プレートを備える。ブレード側面はしばしば、「切断側面」と呼ばれ、ガイド・ブレードを備える反対側の側面はしばしば、「ガイド側面」と呼ばれ、端部プレートはしばしば、「クロス・プレート」と呼ばれる。
【０００４】
せん断機が加工物を切断すると、下方顎部１２及び上方顎部１４によって切断力が加工物にそれに沿って加えられる線が互いに対してわずかに偏ることにより、上方顎部１４は幾分側方に偏ることができる。したがって、高荷重の破壊せん断機は、左手（ガイド側面）下方顎部側面プレート１２ａのスロットに面する表面に沿って形成された取付面に装着された摩耗ガイド又はガイド・ブレード２８、及び上方顎部のフロント部分又はノーズ部分の側方表面に装着された摩耗プレート３０を備えることができる。
【０００５】
さらに、ほぼ旋回構造の付近にある上方顎部のどちらかの側面に配置された（図１及び２に示される従来技術のせん断機に含まれない）１つ又は複数の側方ブレード安定装置を設けることが当分野で周知である。
【０００６】
せん断機１０が動作すると、様々な摩耗面を表すこれらの様々な摩耗構成要素が摺動して互いを通過する−ブレード挿入部材がブレード挿入部材を通過し、摩耗プレートがガイド・ブレードを通過し、上方顎部が側方ブレード安定装置を通過する。それらは、そのような動作をすると、互いに擦り減る可能性がある。したがって、互いに摺動接触する様々な摩耗面を潤滑することが周知である。従来、そのような潤滑は、手動で行われてきた。しかし、それは、せん断機の動作を停止させる必要があり、それによって生産性が低下する。
【発明の開示】
【課題を解決するための手段】
【０００７】
本発明の１つ又は複数の実施例は、せん断機に組み込まれる潤滑剤ポンプ送出システムを介して潤滑剤をせん断機の摩耗面に送達するシステムを提供する。
【０００８】
本発明の１つ又は複数の実施例は、第１の顎部、第１の顎部に動作的に連結された第２の顎部、第１と第２の顎部の間の相対移動を可能にする、動力を備えるアクチュエータ、及び第１と第２の顎部のうちの一方に配置された第１のせん断摩耗部分を備える材料処理システムを提供する。第１のせん断摩耗部分は、第１のせん断摩耗面を有する。システムは、それによって担持される潤滑剤導管も備える。潤滑剤導管は、潤滑剤が潤滑剤導管の第１の端部から流出するとき、潤滑剤を第１のせん断摩耗面に供給するように配置された第１の端部を有する。
【０００９】
これらの実施例のうちの１つ又は複数の別の態様によれば、第１のせん断摩耗面が全体的に平面である。第１のせん断摩耗面は、材料処理システムの動作中に処理されている材料に間欠的に接触するように構成できる。
【００１０】
これらの実施例のうちの１つ又は複数の別の態様によれば、システムは、潤滑剤を第１のせん断摩耗面に供給するために潤滑剤導管に流体的に連結する潤滑剤供給部を備える。
【００１１】
これらの実施例のうちの１つ又は複数の別の態様によれば、第１のせん断摩耗面が第１の顎部に配置され、第１の顎部が第２の顎部に対して移動するとき、潤滑剤導管の第１の端部が第１の顎部に対して移動し、第１の端部が第１のせん断摩耗面に面する。
【００１２】
これらの実施例のうちの１つ又は複数の別の態様によれば、動力を備えるアクチュエータが、顎部のうちの一方に旋回式に連結された液圧シリンダを備える。
【００１３】
これらの実施例のうちの１つ又は複数の別の態様によれば、第１のせん断摩耗部分が顎部のうちの一方にブレードを備える。
【００１４】
これらの実施例のうちの１つ又は複数の別の態様によれば、潤滑剤送出導管の第１の端部が第１のせん断摩耗面に配置された潤滑ポートを備える。第１のせん断摩耗部分は、顎部のうちの一方のブレードを備えることができる。ブレードは、顎部のうちの一方に取外し可能に装着されたブレード挿入部材を備えることができる。システムは、顎部のうちの一方に溝を備えることもでき、ブレード挿入部材は、流体導管を形成するために溝を密閉し、流体導管は潤滑剤導管の一部分を定義する。
【００１５】
これらの実施例のうちの１つ又は複数の別の態様によれば、システムは、第１の顎部に取外し可能に装着されたブレード挿入部材を備える。ブレード挿入部材は第２の摩耗面を有する。第１のせん断摩耗面は、第２の摩耗面に隣接する第１の顎部の表面を備える。第１及び第２の摩耗面は、互いにほぼ同一平面上にあることができる。
【００１６】
これらの実施例のうちの１つ又は複数の別の態様によれば、システムは、第２のせん断摩耗面を有する第２のせん断摩耗部分を備える。第１及び第２のせん断摩耗面は、システムの動作中に第２の顎部が第１の顎部に対して移動すると、せん断する関係で互いに対して移動するように構成されている。第１及び第２の摩耗面は、それらが互いのそばを移動するとき、互いから間隔を置いた状態を保つことができる。
【００１７】
これらの実施例のうちの１つ又は複数の別の態様によれば、システムは、システムに配置された少なくとも１つのさらなる摩耗面を備える。潤滑剤導管は、潤滑剤を第１のせん断摩耗面と少なくとも１つのさらなる摩耗面に分配するように構成された潤滑剤分配器バルブを備える。潤滑剤分配器バルブは、潤滑剤を第１のせん断摩耗面、及び少なくとも１つのさらなる摩耗面に順次に分配することができる。
【００１８】
これらの実施例のうちの１つ又は複数の別の態様によれば、システムは、第２の摩耗面を有する第２の摩耗部分を備える。第１のせん断摩耗部分は第１の顎部に配置される。第２のせん断摩耗部分は、第２の顎部に配置される。潤滑剤導管は、潤滑剤を第２の摩耗面に供給するように配置された第２の端部を備える。
【００１９】
これらの実施例のうちの１つ又は複数の別の態様によれば、システムは、潤滑剤導管に動作的に連結された動力を備える潤滑剤ポンプ、及び潤滑剤を潤滑剤供給部から潤滑剤導管の第１の端部にポンプ送出するための潤滑剤供給部を備える。潤滑剤導管は、潤滑剤分配器バルブを備えることができる。システムは、第２の摩耗面を有する第２の摩耗部分を備えることができる。潤滑剤導管は、潤滑剤が潤滑剤導管の第２の端部を通って流れるとき、潤滑剤を第２の摩耗面に供給するように配置された第２の端部を備えることができる。潤滑剤分配器バルブは、潤滑剤をポンプから潤滑剤導管の第１及び第２の端部に分配することができる。潤滑剤導管の第１及び第２の端部は、第１の顎部及び第２の顎部の間の動作的な連結部の一部分、顎部のうちの一方と動力を備えるアクチュエータとの間の移動可能な連結部の一部分、顎部のうちの一方の側方摩耗部分であって他方の顎部に装着された側方ブレード安定装置に側方の荷重を伝達するように構成された側方摩耗部分、又は顎部のうちの一方のブレードのうちのそれぞれに潤滑剤を供給するように位置付けることができる。
【００２０】
これらの実施例のうちの１つ又は複数の別の態様によれば、システムがせん断機本体を備え、第１と第２の顎部が本体に動作的に連結され、潤滑剤ポンプが本体内に配置され、動力を備えるアクチュエータが第１の顎部を本体に対して移動させ、潤滑剤導管がポンプから第１の顎部内に延びる可撓性のラインを備える。
【００２１】
これらの実施例のうちの１つ又は複数の別の態様によれば、第１の顎部が前方摩耗面を有する穿孔チップ部分を備え、第２の顎部が内側摩耗面を有する前方のクロス部材を備え、第１のせん断摩耗面が前方摩耗面と内側摩耗面のうちの１つによって定義される。
【００２２】
これらの実施例のうちの１つ又は複数の別の態様によれば、第２の顎部が側方ブレード安定装置を備え、第１の顎部が側方ブレード安定装置に向かって側方に偏り、第１のせん断摩耗面が側方摩耗部分及び側方ブレード安定装置のうちの１つに配置される場合に、第１の顎部は側方の荷重を側方ブレード安定装置に伝達するように構成された側方摩耗部分を備える。
【００２３】
本発明の１つ又は複数の実施例は、第１の顎部、及び第１の顎部に旋回式に連結された第２の顎部を備える材料処理システムを提供することができる。システムは、第１の顎部と第２の顎部の間の相対的な移動を可能にする動力を備えるアクチュエータを備える。システムは、第１の顎部に配置された第１の側方安定摩耗部分を備える。第１の側方安定摩耗部分は、顎部の間の旋回式の連結部から間隔を置いて配置された第１の側方安定摩耗面を有する。システムは、システムによって担持される潤滑剤導管を備える。潤滑剤導管は、潤滑剤が潤滑剤導管の第１の端部から流出するとき、潤滑剤を側方安定摩耗面に供給するように位置付けられた第１の端部を有する。システムは、第２の顎部に配置された第２の側方安定摩耗部分も備えることもできる。第２の側方安定摩耗部分は、第２の側方安定摩耗面を有する。材料処理中に第１の顎部が第２の側方安定摩耗部分に向かって側方に偏る場合、第１の側方安定摩耗部分は、側方の荷重を第２の側方安定摩耗部分に伝達するように構成される。
【００２４】
本発明の１つ又は複数の実施例は、第１の顎部及び第２の顎部を備える材料処理せん断機を提供することができ、前記第１の顎部及び第２の顎部は、それらの間の相対的な移動のために連結される。せん断機は、第１の顎部のせん断摩耗面を備える。せん断機は、少なくとも部分的には第１の顎部によって担持され、潤滑剤を摩耗面の上に射出するように配置された出口を有する潤滑剤導管を備える。
【００２５】
本発明の１つ又は複数の実施例は、第２の顎部に旋回式に連結された第１の顎部を備える材料処理せん断機を提供することができる。せん断機は、第１の顎部の側方安定摩耗面を備える。側方安定摩耗面は、顎部の間の旋回式の連結部から間隔を置いて配置される。せん断機は、少なくとも部分的には第１の顎部によって担持される潤滑剤導管を備える。潤滑剤導管は、潤滑剤を側方安定摩耗面の上に射出するように配置された出口を有する。
【００２６】
本発明の１つ又は複数の実施例は、取付面を備える顎部を有する材料処理せん断機に使用するための摩耗プレートを提供することができ、その取付面に対して摩耗プレートが取り付けられるように構成される。摩耗プレートは、それが顎部への動作位置に固定できるようにする固定領域を有する本体を備える。本体はせん断摩耗面を有する。摩耗プレートは、潤滑剤をせん断摩耗面に導くために本体に配置された潤滑剤導管も備える。潤滑剤導管は、顎部の対応する潤滑剤供給導管と嵌合するように位置付けられている。
【００２７】
これらの実施例のうちの１つ又は複数の別の態様によれば、摩耗プレートは、摩耗面がせん断摩耗面に沿って形成され、潤滑剤導管に流体的に連結された潤滑剤分散溝を備える。潤滑剤導管は、本体を貫通して延びるボアを備えることができる。潤滑剤導管は、本体内に溝を備えることができる。摩耗プレートはブレード挿入部材であってもよい。摩耗プレートは、前方のクロス部材を備えることができ、せん断摩耗面が前方のクロス部材の内側表面上に配置される。固定領域は、ボルト穴を備えることができる。潤滑剤導管は、ボルト穴を貫通して延びることができる。
【００２８】
これらの実施例のうちの１つ又は複数の別の態様によれば、摩耗プレートが、取付面を有する第１の顎部であってそれに対して摩耗プレートが取り付けられる第１の顎部と、第１の顎部に動作的に連結された第２の顎部と、第１の顎部と第２の顎部の間の相対的な移動を可能にする動力を備えるアクチュエータと、第１の顎部に配置され、摩耗面の潤滑剤導管に流体的に連結された潤滑剤供給導管とを備える材料処理せん断機に組み込まれる。せん断機は、潤滑剤をせん断摩耗面に供給する潤滑剤供給導管に流体的に連結された潤滑剤供給部を備えることもできる。
【００２９】
これらの実施例のうちの１つ又は複数の別の態様によれば、摩耗面は、摩耗面の側方表面上に配置された摩耗面を有する側方摩耗プレートである。摩耗プレートは穿孔チップ（ｐｉｅｒｃｉｎｇ  ｔｉｐ）を備えることができ、その穿孔チップは中心の横断方向の軸の周りを１８０°だけ回転し、顎部の取付面に対して復座できるように構成される。せん断摩耗面は、穿孔チップの前方表面、又は側方表面上に配置できる。
【００３０】
本発明の１つ又は複数の実施例は、材料処理せん断機を潤滑する方法を提供する。せん断機は、第２の顎部に対して移動可能に連結された第１の顎部を備える。顎部のうちの一方は摩耗面を有する。せん断面は、顎部のうちの一方を他方の顎部に対して移動可能に駆動する動力を備えるアクチュエータを備える。方法は、せん断機によって担持された潤滑剤導管を介して潤滑剤を摩耗面に与えるステップを含む。潤滑剤導管は、摩耗面に配置された潤滑剤ポートを備えることができる。潤滑剤導管は、せん断機内から摩耗面に延びることができる。潤滑剤導管は、潤滑剤が潤滑剤導管を通って流れるとき、潤滑剤を摩耗面に供給するように位置付けられた第１の端部を備える。これらの実施例のうちの１つ又は複数の別の態様によれば、方法がさらに、動力を備える潤滑剤ポンプを介して潤滑剤を潤滑剤導管に供給するステップを含む。動力を備えるアクチュエータは、液圧シリンダを備えることができ、方法はさらに、液圧シリンダを動作させることによって動力を備える潤滑剤ポンプに動力を与えるステップを備える。
【００３１】
本発明の１つ又は複数の実施例は、潤滑された破壊システムを作る方法を提供する。方法は、第１の顎部を第２の顎部に移動可能に連結するステップを含む。第１の顎部は、第１のせん断摩耗面を有する第１のせん断摩耗部分を備える。方法は、潤滑導管の第１の端部が、潤滑剤を第１のせん断摩耗面に供給するように位置付けられるように潤滑剤導管を顎部のうちの１つに装着するステップも含む。潤滑剤導管は、第１の端部に流体的に連結された第２の端部を有する。方法はさらに、潤滑剤ポンプの動作によって潤滑剤がポンプ送出され、潤滑剤導管を通って、第１のせん断摩耗面の上に達するように、潤滑剤ポンプを潤滑導管の第２の端部に流体的に連結するステップを含む。方法はさらに、第１の顎部を第２の顎部に移動可能に連結する前に、第２の顎部から第３顎部を取り外すステップを含むことができる。
【００３２】
本発明のさらなる及び／又は別の利点及び顕著な特徴が、添付の図面と関連させて読めば、本発明の実施例を開示する以下の詳細な説明から明らかになる。
【００３３】
本発明のこれらの及びその他の特徴が、図面と関連して下記により詳細に説明される。
【実施例】
【００３４】
本発明による潤滑システムの１つの実施例を組み込む金属破壊せん断機１００が全体的に図３〜６に示される。金属破壊せん断機１００は、掘削機などのベースの機械に装着できる。せん断機１００は、下方顎部１０２、及び旋回構造１０６によって下方顎部１０２に旋回式に連結された上方顎部１０４を備える。或いは、顎部１０２と１０４の間の連結は、任意のその他の適切な移動可能な連結（例えば、直線又は曲線式の摺動経路など）を備えることができる。移動可能な連結は、顎部１０２と１０４の間の直接的な連結、又は中間の部品（例えば顎部１０２、１０４が４棒リンク機構の対向する脚に配置される場合など）を介して顎部の間の間接的な連結を含むことができる。下方顎部１０２は、左手下方顎部プレート１０２ａ、右手下方顎部プレート１０２ｂ、及び２つを相互連結するクロス部材１０２ｃを備える。上方顎部１０４は、液圧シリンダ１０８（図１０に概略的に示される）、又はその他の適切な動力を備えるアクチュエータ（例えば直線式電動アクチュエータ、電気モータ、液圧モータなど）によって下方顎部１０２に対して旋回して開閉するように駆動される。
【００３５】
上方第１ブレード挿入部材１１０、及び上方第２ブレード挿入部材１１２はそれぞれ、上方顎部１０４のブレード取付部分に固定され、それぞれ第１の上方切断縁部１１１及び第２の上方切断縁部１１３を提供する。同様にして、下方第１ブレード挿入部材１１４、及び上方第２ブレード挿入部材１１６はそれぞれ、右手下方顎部側面プレート１０２ｂに沿って形成された取付面に固定され、それぞれ第１の下方切断縁部１１５及び第２の下方切断縁部１１７を提供する。
【００３６】
摩耗ガイド又はガイド・ブレード１１８は、下方第１及び第２ブレード挿入部材に対向する左手側面プレート１０２ａに沿って形成された内側のスロットに面する取付部分に取り付けられ、摩耗プレート１２０は、上方顎部１０４のフロント部分又はノーズ部分の側方表面に装着される。摩耗プレート１２０は、その内容が参照によって組み込まれる、２００３年１０月３１日に提出のＭＥＴＡＬ  ＤＥＭＯＬＩＴＩＯＮ  ＳＨＥＡＲＳ  ＷＩＴＨ  ＩＮＤＥＸＡＢＬＥ  ＩＮＴＥＧＲＡＴＥＤ  ＷＥＡＲ  ＰＬＡＴＥ／ＰＩＥＲＣＩＮＧ  ＴＩＰという名称の同時係属中の米国特許出願第１０／６９７５５４号により詳細に記載されるように構成することができる。
【００３７】
せん断機１００は同様に、左手側方ブレード安定装置１２２及び右手側方ブレード安定装置１２４を備える。図示された構成に関しては、上方顎部１０４と右手下方顎部プレート１０２ｂの間に第１のせん断作用が生じ、左手側方のブレード安定装置１２２が旋回構造１０６の上及び前方に配置され（前方は、せん断機１２６の後方装着アダプタ部分から顎部１０２及び１０４に向かうほぼ長手方向においてを意味すると理解される）、右手側方プレート安定装置１２４は、旋回構造１０６の中央軸のほぼ上及びわずかに後ろに配置される。上方顎部１０４が旋回して開閉すると、上方顎部１０４の側方の力に応じて、左手側方ブレード安定装置１２２が上方顎部１０４の左側面の弧状部分１２８に沿って摺動接触し、右手側方ブレード安定装置１２４が上方顎部の表面から側方に延びる別個のスタンドオフ部（ｓｔａｎｄ−ｏｆｆ）として形成できる弧状摩耗部材１３０の表面に沿って摺動接触する。
【００３８】
図４及び６で明らかなように、また図７〜１０により詳細に示されるように、潤滑システム１４０が設けられ、１つ又は複数の様々な摩耗部品にグリース又はその他の潤滑剤を供給する。例示の実施例では、潤滑システムは、潤滑剤をガイド・ブレード１１８、下方第２切断ブレード挿入部材１１６、及び左手側方ブレード安定装置１２２及び右手側方ブレード安定装置１２４に供給するが、本発明の範囲内に収めるために、潤滑システム用のそうしたすべての摩耗部品に潤滑剤を供給する必要はない。
【００３９】
潤滑システム１４０は、例えば適切な装着点に液圧潤滑剤ポンプ１４２を固定させるのに使用される装着ブラケット１４４によって、せん断機の「スティック」構造１０１の全体的に箱型の本体内に支持される液圧潤滑ポンプ１４２（例えばグリース・ポンプ）を備える。潤滑システム１４０は、グリース又はその他の潤滑剤を順次に、様々な摩耗部品のそれぞれに分配するＳＳＶバルブ（連続潤滑剤分配器）１４６を備えることができる。ＳＳＶバルブ１４６は、例えば装着ブラケット１４８によってせん断機のスティック構造１０１内の適切な装着ポイントにも装着される。液圧潤滑剤ポンプ１４２は、例えば、液圧式ハンマの差換え刃物のブッシングを潤滑するのに一般に使用されるＳｔａｎｌｅｙ  Ｈｙｄｒａｕｌｉｃ  Ｔｏｏｌｓ社、又は  Ｌｉｎｃｏｌｎ  Ｉｎｄｕｓｔｒｉａｌ  Ｃｏｒｐｏｒａｔｉｏｎ社から販売されているモデルＨＴＬ４２９  Ｈｙｄｒａｕｌｉｃ  Ｔｏｏｌ  Ｌｕｂｒｉｃａｔｏｒであることができる。或いは、それは、任意のその他の液圧作動式のグリース又は潤滑剤ポンプであることができる。さらに、ポンプ１４２は、本発明の範囲からそれずに、任意のその他のタイプの適切なポンプ（例えば電気モータ駆動ポンプ、空気ポンプ、リニア・アクチュエータ駆動ポンプなど）を備えることができる。ＳＳＶバルブ１４６は、Ｌｉｎｃｏｌｎ  Ｉｎｄｕｓｔｒｉａｌ社から販売されているＤｉｖｉｄｅｒ  Ｖａｌｖｅであることができる。
【００４０】
例示の実施例では、潤滑剤ポンプ１４２は、せん断機１００内に配置される。しかし、潤滑剤ポンプ１４２は、その代わりに任意のその他の適切な構造（例えば、せん断機構造１０１の外側、上方顎部１０４内又はその上、せん断機１００の外部、掘削機などのベースの機械など）に装着できる。ポンプ１４２がせん断機１００の外部に配置されると、ベースの機械の任意の適切な部分に沿って（例えばブームに沿って）適切な流体ラインがポンプ１４２からせん断機１００に延びる。せん断機１００が相対的な回転運動のためにベースの機械に装着される場合、連結する流体ラインは、回転式継手の中心に配置されるスイベル・ジョイントを含むことができる。せん断機１００とベースの機械の間の相対的な回転運動が限られている場合、流体ラインそれ自体は、スイベル・ジョイントを使用せずにそのような回転運動を吸収するのに十分な可撓性を有する。
【００４１】
図９及び１０に示されるように、液圧潤滑剤ポンプ１４２の動作が液圧制御ライン１５０によって制御される。液圧制御ラインは液圧流体を液圧シリンダ１０８のマニホルド１５４から受け取り、その動作は主要な液圧制御ユニット１５２によって調整される。液圧制御ライン１５０は、例えば液圧カプリング１６０で液圧潤滑剤ポンプ１４２に連結されている。潤滑剤の供給部が、グリース・カートリッジ、鋳造された潤滑剤リザーバ、又はその他の適切な潤滑剤供給部などのリザーバ１６２によって液圧潤滑剤ポンプ１４２に設けられる。液圧潤滑剤ポンプ１４２は、液圧制御ライン１５０が加圧される度に、液圧ポンプが第１の潤滑剤送出ライン１６４に沿って、リザーバ１６２によって供給される計量した量の潤滑剤をポンプ送出するように構成されている。
【００４２】
例示された潤滑剤ポンプ１４２は、シリンダ１０８の動作により自動的に制御され、動力を与えられる。或いは、潤滑剤ポンプ１４２は、機械の使用者により手動制御され、及び／又は別の動力源（例えば加圧された液圧流体源、電源など）によって動力を与えられることができる。例えば、手動操作式の電気スイッチが、潤滑剤を潤滑剤送出ライン１６４にもたらす電気ポンプ１４２に動作的に連結できる。或いは、ベースの機械の上のハンド・ペダル、又はフット・ペダルがライン１５０を介してポンプ１４２に加圧された液圧流体を提供するバルブを動作させることができる。ポンプ１４２、及び／又はリザーバ１６２は、ベースの機械又はせん断機１００の任意の適切な部分に配置できる。
【００４３】
或いは、潤滑剤ポンプ１４２は、加圧された潤滑剤リザーバを備えることができる。リザーバは、適切な関連するバネ／ピストン・システム、圧縮ガスシステムなどを介して加圧できる。摩耗部品は、ポンプ１４２と潤滑される摩耗部品の間の流体ラインに配置されたバルブを開くことによって潤滑される。バルブは、シリンダ１０８によって自動操作され、又はせん断機１００の使用者によって手動操作できる。バルブに関する任意のその他の動作機構が代替で本発明の範囲からそれずに使用できる（例えば、タイミングを決められた潤滑、ベースの機械が作動又は停止する度の潤滑など）。
【００４４】
１つの摩耗部品だけが潤滑される場合、第１の潤滑剤送出ライン１６４は、その摩耗部品を潤滑するように構成された潤滑剤注入点に直接つながることができる。しかし、複数の摩耗部品が潤滑される場合、第１の潤滑剤送出ライン１６４は、潤滑剤をＳＳＶバルブ（連続グリース分配器）１４６に給送する。次いでＳＳＶバルブ１４６は、ポンプ１４２の動作の各周期によって、潤滑剤を順次に様々な個別の潤滑剤送出ライン１６６、１６８、１７０、及び１７２に給送する。図９及び１０に示されるように、個別の潤滑剤送出ライン１６６、１６８、１７０、及び１７２は、潤滑剤をそれぞれ左手側方ブレード安定装置、右手側方ブレード安定装置、下方第２切断ブレード挿入部材１１６、ガイド・ブレード１１８に供給する。
【００４５】
実施例による潤滑システムによって潤滑できる、高荷重の金属破壊せん断機に使用するために構成された様々な摩耗部品のさらなる詳細が図１１〜１９に関連して開示される。
【００４６】
左手側方ブレード安定装置１２２、右手側方ブレード安定装置１２４、及びそれらへの個別の潤滑剤送出ライン１６６、１６８のアタッチメントの構造及び装着についての詳細が図１１〜１４に示される。図１１に示されるように、左手及び右手側方ブレード安定装置は、それぞれ中実の全体的に円筒形の部材として製造される。安定装置は、側方安定摩耗面１７６ａ、外ネジにされたシャンク部分１７８、及び多角形（例えば正方形）ボルト端部１８０を備える最も端の当接部分１７６を備える。当接部分１７６は、高さが４．５７２ｍｍ（０．１８インチ）程度のわずかに円錐台形に傾いた潤滑剤分散スタンドオフ部１８２に終端することができる。図１３及び１４に示されるように、ボルト端部１８０は、潤滑剤フィッティング１９２を保護する中央のキャビティ又はポケット１８６、及び図１１に示されるようなブレード安定装置から当接部１７６の摩耗面１７６ａまで全体を通してずっとソケット１８６の底部から延びる中央の軸方向に延びる潤滑剤導管１８８を有する。潤滑剤分散スタンドオフ部１８２は、それを通過して延びる、直径に沿って延びる潤滑剤分散溝１９０を有し、中央の軸方向に延びる、潤滑剤導管１８８が潤滑剤をその中に通す。側方ブレード安定装置１２２、１２４は、鋼、アルミニウム、銅、又は黄銅から機械加工できる。
【００４７】
左手側方ブレード安定装置１２２及び右手側方ブレード安定装置１２４は、ほぼ枢動構造１０６の上で、それぞれ左手下方顎部プレート１０２ａ及び右手下方顎部プレート１０２ｂを貫通して延びる内ネジにされたボアにねじ込まれる。当分野で周知のように、それぞれのボルト端部の上にロック・プレートを配置し、そのロック・プレートを側面プレート１０２ａ及び１０２ｂに固定することによってそれらの位置が固定される。
【００４８】
それらの図面及び図１２にさらに示されるように、個々の潤滑剤送出ライン１６６、１６８は、全般的に内部の経路を通り、せん断機のスティック構造１０１の内部構造に固定され、図３〜７に示されるように、それらの潤滑剤送出ラインは、側方ブレード安定装置１２２、１２４のほぼ付近で、下方顎部側面プレート１０２ａ及び１０２ｂに形成された適切に寸法を決められたボアを通過して外部に出る。
【００４９】
潤滑剤送出ライン１６６、１６８は、旋回するＮＰＴ（米国管用ねじ規格（Ｎａｔｉｏｎａｌ  Ｐｉｐｅ  Ｔｈｒｅａｄ））コンプレッション・フィッティング（ｃｏｍｐｒｅｓｓｉｏｎ  ｆｉｔｔｉｎｇｓ）１９２によって側方ブレード安定装置１２２、及び１２４とを相互連結する。コンプレッション・フィッティング１９２は、潤滑剤送出ライン１６６、１６８の端部に圧着され、その反対側のオスの端部は、図１３及び１４に示されるように軸方向に延びる潤滑剤導管１８８にねじ込まれる。この配置によって、潤滑剤導管１８８を通して潤滑剤を移送し、それを潤滑剤分散溝１９０によって潤滑剤分散スタンドオフ部１８２の表面の上に配分できるようにすることにより、上方顎部１０４の左側面上の弧状の摩耗部分１２８の側方安定摩耗面と、対応する左手側方ブレード安定装置１２２の側方安定摩耗面１７６ａの間、及び弧状の摩耗部材１３０の側方安定摩耗面と、せん断機１００の右側面上の右手側方ブレード安定装置１２４の側方安定摩耗面１７６ａとの間の摩耗を低減するために、潤滑剤が加えられる。
【００５０】
ガイド・ブレード１１８と、下方第２切断ブレード挿入部材１１６の構造及び配置、並びにそれによってそれらが潤滑される手段のさらなる詳細は、図３〜７、９、及び１５〜１９に示される。それらの図面に示されるように、ガイド・ブレード１１８及び下方第２切断ブレード挿入部材１１６は、両方とも角柱として形成され、ガイド・ブレードが全体的に六角柱になっており（即ち、第１の摩耗面であるその２つの主要な面が六角形として形成され）、下方第２切断ブレード挿入部材が、全体的に四角柱になっている（即ち、その縁が切断縁部を形成するその２つの主要な面が四角形として形成される）。（ガイド・ブレードは、そのように望めば、全体的に四角形にすることもできる。）ガイド・ブレード１１８及び下方第２切断ブレード挿入部材１１６は、それぞれ左手下方顎部側面プレート１０２ａ、及び右手下方顎部側面プレート１０２ｂのスロットに面する表面に沿って設けられる適切に構成された取付面に対して取り付けられる。
【００５１】
ガイド・ブレード１１８及び下方第２切断ブレード挿入部材１１６（並びに、所望であればその他の切断ブレード挿入部材）は、図１５に示されるように、また同時に当分野で一般に周知のように、それぞれの両方の主要な面を表すことができるように、それらがそれぞれその対角線及び長手方向軸の周りで裏返すことができるように構成できる。さらに、ガイド・ブレード１１８及び下方第２切断ブレード挿入部材１１６（並びに、所望であればその他の切断ブレード挿入部材）は、同様に図１５に示されるように、それらがそれぞれその横軸の周りで１８０°回転し、その対応する取付面に対して復座できるように構成できる。
【００５２】
ガイド・ブレード１１８は、当分野で周知のように、ガイド・ブレード１１８、及び左手下方顎部側面プレート１０２ａを貫通して延びるボルト穴１９６を通過するプラウ・ボルト１９４（図３及び５）によってその取付面２０２（図１６）に対して固定される。同様に、下方第２切断ブレード挿入部材１１６は、ブレード挿入部材と、右手下方顎部側面プレート１０２ｂ並びに調整プレート及びシム２１６を貫通して延びるボルト穴とを貫通して延びるボルト穴１９８を通過するプラウ・ボルト（図示されない）によって、取付面、又は図示されるように、調整プレート及びシム配置２１６に対して固定される。
【００５３】
図１５〜１７にさらに示されるように、ガイド・プレート１１８は、一方の側面（主要な面）から他方の側面（主要な面）に回転軸に沿って、ガイド・ブレード１１８を側方に貫通して延びる潤滑剤導管１９９を有する。ガイド・ブレード１１８の各側面上に、潤滑剤分散溝２０１が形成され、その中に潤滑剤導管１９９がガイド・ブレード１１８の側方摩耗面の上に潤滑剤を分配する。潤滑剤分散溝２０１は、実質的にガイド・ブレード１１８の両方の主要な面の対角線の長さに沿って延びる。
【００５４】
同様に、図１５、１８、及び１９に示されるように、下方第２ブレード挿入部材１１６は、ブレード挿入部材の一方の側面（主要な面）から他方の側面（主要な面）にブレード挿入部材１１６を貫通して側方に延びる１つ又は複数の（この場合は２つ）の潤滑剤導管２０６を有する。潤滑剤導管２０６の数及び位置付けは、ボルト穴１９８の数及び配置に応じて変えることができる。さらに、ブレード挿入部材１１６の各側面（主要な面）は、ブレード挿入部材の主要な面に沿って長手方向に延びる潤滑剤分散溝２０８を有する。図１５に示されるように、潤滑剤導管又は導管２０６は、ブレード挿入部材１１６の各側面の上の潤滑剤分散溝２０８の中に終端する。
【００５５】
図１６及び１７に示されるように、潤滑剤チャネル２００は、ガイド・ブレード１１８が置かれる取付面２０２から外側に側方に延び、フィッティング２１０を保護するカウンタボア又はキャビティ２０４内に終端する。図１６に示されるように、ガイド・ブレード１１８は、下方顎部側面プレート１０２ａを貫通して延びる潤滑剤チャネル２００と整列するガイド・ブレード１１８を貫通して延びる中央の潤滑剤導管１９９と共に、取付面２０２に対して取り付けられる。外部に、即ち左手下方顎部側面プレート１０２ａの外部に面する側面上で、コンプレッション・フィッティング２１０がカウンタボア又はキャビティ２０４に挿入され、コンプレッション・フィッティング２１０のオスの端部が潤滑剤チャネル２００の端部の中にねじ留めされる。コンプレッション・フィッティング２１０は、個々の潤滑剤送出ライン１７０の端部の上に圧着される。したがって、潤滑剤は、個々の潤滑剤送出ライン１７０に沿って移送され、下方顎部側面プレート１０２ａに形成された潤滑剤チャネル２００を通り、ガイド・ブレード１１８を貫通して延びる潤滑剤導管１９９を通り、次いで潤滑剤分散溝２０１に沿って分配されることによって、ガイド・ブレード１１８の露出した摩耗面に供給されることが可能である。上方顎部が旋回して開閉し、摩耗プレート１２０が摺動してガイド・ブレード１１８を通過すると、潤滑剤がガイド・ブレード１１８及び摩耗プレート１２０の両方の露出した面の上に分配され、したがって摩擦を低減し、それによってそれらの部品の摩耗を減少させる。摩耗プレート１２０及びガイド・ブレード１１８の間の摺動接触は、顎部１０２、１０４が互いに対して旋回するとき、連続的又は不連続的あることができる。
【００５６】
同様にして、図１８及び１９に示されるように、潤滑剤チャネル２２０は、下方右手顎部側面プレート１０２ｂを貫通して側方に延びる。下方第２ブレード挿入部材１１６は、取付面又は、図示されるように調整プレート及びシム２１６に対して取り付けられ、潤滑剤導管２０６が、ブレード挿入部材１１６を貫通して延び、潤滑剤導管２２０と整列し、下方顎部側面プレート１０２ｂ並びに調整プレート及びシム２１６を貫通して延びる。旋回するＮＰＴコンプレッション・フィッティング２２２は、個々の潤滑剤送出ライン１７２の端部の上に圧着される。潤滑剤コンプレッション・フィッティング２２２は、ポケット２２４に嵌入し、それによってフィッティングを保護し、コンプレッション・フィッティング２２２のオスの端部は、潤滑剤導管２２０の端部にねじ込まれる。
【００５７】
この配置によって、潤滑剤送出ライン１７２に沿って供給され、（下方顎部側面プレート１０２ｂの）潤滑剤チャネル２２０及び（ブレード挿入部材を貫通する）潤滑剤導管２０６を通って流れ、次いで露出した潤滑剤分散溝２０８に沿って分配されることによって、潤滑剤がブレード挿入部材１１６の露出した主要な面に供給される。上方顎部が開閉し、上方第２ブレード挿入部材が下方第２ブレード挿入部材を通過すると、潤滑剤が両方の露出された主要な面の上に広がり、それによって摩擦性の摩耗を低減し、部品の耐用年数を延ばす。
【００５８】
例えば、図７及び１２に示されるように、潤滑剤送出ライン１７０及び１７２が顎部の構造の全般的に内部の経路を通る。次いでその経路は、顎部のそれぞれの側面の潤滑剤送出ライン出口ポート２２４を通って出て行き、それぞれ左手下方顎部側面プレート１０２ａ及び右手下方顎部側面プレート１０２ｂの外面に形成された、潤滑剤送出ライン・ガイド・チャネル２２６、２２８に沿って広がる。
【００５９】
図２０〜２４は、本発明の別の実施例による高荷重の金属破壊せん断機３００を示す。せん断機３００は、潤滑システム３４０が下方顎部３０２の代わりに上方顎部３０４を介して潤滑剤を摩耗部分（例えば、摩耗部品、せん断機３００の部品の部分など）に供給すること以外は、上述のせん断機１００とほぼ同様である。したがって、（特徴の中でも、上方及び下方顎部、スティック、潤滑剤ポンプ、ＳＳＶバルブ、及び様々な構成要素の間の機能的及び構造的な関係を含んでいる）ほぼ重複している特徴の詳細な説明は割愛する。
【００６０】
図２０に示されるように、上方顎部３０４及び下方顎部３０２は、旋回構造３０６において互いに旋回式に連結する。液圧シリンダ３０８は、旋回構造３０７において上方顎部３０４に旋回式に連結する。液圧シリンダ３０８は、本体３０１、又はせん断機３００の「スティック」にも旋回式に連結する。旋回構造３０６、３０７は、相対的な旋回動作を可能にするためのピン及び嵌合するボアを備える。液圧シリンダ３０８は、下方顎部３０２に対して開閉する上方顎部３０４を駆動する。
【００６１】
図２１に示されるように、それぞれの上方第１ブレード挿入部材３１０、及び上方第２ブレード挿入部材３１２は、それぞれ上方顎部３０４のブレード取付部分に固定され、それぞれ第１の上方切断縁部３１１及び第２の上方切断縁部３１３を提供する。同様にして、それぞれ下方第１ブレード挿入部材３１４及び下方第２ブレード挿入部材３１６は、右手下方顎部側面プレート３０２ｂに沿って形成された取付面に固定され、それぞれ第１の下方切断縁部３１５及び第２の下方切断縁部３１７を提供する。摩耗ガイド又はガイド・ブレード３１８は、下方第１及び第２ブレード挿入部材に対向する左手側面プレート３２０ａに沿って形成された内側のスロットに面する取付部分に取り付けられ、前方摩耗プレート３２０又は穿孔チップが、上方顎部３０４の前面のノーズ部分で側方表面に取り付けられる。
【００６２】
図２１に示されるように、せん断機３００は、左手側方ブレード安定装置３２２及び右手側方ブレード安定装置３２４も備える。上方顎部３０４が旋回して開閉すると、上方顎部３０４の側方の力に応じて、左手側方ブレード安定装置３２２の摩耗面が上方顎部３０４の左側面の弧状の摩耗面３２８に沿って摺動接触し（図２２を参照されたい）、右手側方ブレード安定装置３２４の摩耗面が弧状の摩耗部材３３０の摩耗面に沿って摺動接触する。
【００６３】
図２３及び２４に示されるように、潤滑システム３４０は、ポンプ３４２（図２０、２４を参照されたい）、及びＳＳＶバルブ（連続潤滑剤分配器）３４６（図２３を参照されたい）を備える。図２０に示されるように、ポンプ３４２は、アクセス・プレート３４３上の本体３０１の内側に装着される。或いはポンプ３４２は、（例えばせん断機３００の外部の上方顎部３０４の中／上など）当分野の技術者によって理解されるような、任意のその他の都合のよい場所に配置される。ポンプ３４２は、上述した液圧制御ライン１５０と同様の液圧制御ライン３５０によって駆動できる。
【００６４】
図２３に示されるように、ＳＳＶバルブ３４６は、上方顎部３０４内に装着され、取外し可能なハッチ３４７を介してアクセス可能である。ポンプ３４２は、ポンプ３４２とＳＳＶバルブ３４６の間に延びる第１の潤滑剤送出ライン３６４を介して潤滑剤をＳＳＶバルブ３４６に供給する。
【００６５】
図示された実施例は、単一のＳＳＶバルブ３４６を利用するが、本発明の範囲からそれずに１つ又は複数のさらなるＳＳＶバルブが追加できる。例えば、上方及び下方顎部の両方の摩耗面が潤滑される場合、下方顎部の様々な摩耗面に潤滑をもたらすために、１つのＳＳＶバルブがスティック又は下方顎部に装着できる。上方顎部の様々な摩耗面に潤滑剤を供給するために、第２のＳＳＶバルブが上方顎部に配置できる。ＳＳＶバルブは、並列又は直列に潤滑剤供給部に連結できる。直列に連結される場合、第１のＳＳＶバルブは、潤滑剤を潤滑剤供給部から受け取り、第２のＳＳＶバルブは、潤滑剤を第１のＳＳＶバルブの送出導管から受け取る。
【００６６】
図２３に示されるように、潤滑剤は、複数の潤滑剤送出ライン３６７を介して、ＳＳＶバルブ３４６からせん断機３００の様々な摩耗部品上の様々な摩耗面に流される。送出ライン３６７は、弧状の摩耗部材３３０の潤滑剤ポート３３０ａ、旋回構造３０７の一部分を定義する上方顎部３０４のボア内の潤滑剤ポート３０７ａ、旋回構造３０６の一部分を定義する上方顎部のボア内の潤滑剤ポート３０６ａ、弧状の部分３２８の潤滑剤ポート３２８ａ（図２２を参照されたい）、第２ブレード挿入部３１２の潤滑ポート３１２ａ（図２１を参照されたい）、及び摩耗プレート３２０の潤滑剤ポート３２０ａ（図２２を参照されたい）と流体的に連通する。潤滑システム３４０は、或いは及び／又はさらに本発明の範囲からそれずにせん断機３００の任意の摩擦点に潤滑剤を供給することができる（例えば、シリンダ３０８を本体３０１に連結する旋回構造、摩耗プレート３２０の前方縁部、第１ブレード３１０、任意の下方顎部３０２又は本体３０１の接合する摩耗面など）。せん断機１００においてのように、様々な摩耗面の上への潤滑剤の分散を向上するために、様々な分散溝、チャネル、通路などが、それらの摩耗面の上に配置できる（例えば図９を参照されたい）。潤滑剤をそのような摩耗面に供給すると、せん断機３００の切断動作の効率が向上し、そのような摩耗部品の耐用年数が増加する。
【００６７】
潤滑剤供給ライン３６７を潤滑剤ポート３０６ａ、３０７ａ、３１２ａ、３２０ａ、３２８ａ、３３０ａに流体的に連結するために、様々なボア、機械加工された経路、ドリル加工された経路、チャネル、流体ライン、チューブ、プラグなどが使用できる。そのような流体の経路は、ラミネート状の溝を機械加工し、その後、通路を形成するためにその溝が共に挟持されることによって形成できる。例えば、図２５に示されるように、２つの潤滑剤供給ライン３６７が上方顎部３０４の通路３９０を貫通して延びる。これらの通路３９０は、上方顎部３０４の側面にチャネルを機械加工し、機械加工されたチャネルを側面プレートで覆うことによって形成される。さらに及び／又は或いは、以下に論じるように、様々な相互連結用の穴がドリル加工されプラグ止めされて、通路を形成できる。潤滑剤通路は、そのような構成要素の強度に重大な影響与えないようにせん断機３００の低応力領域（例えば構造的な構成要素の中心に、又はその付近に）形成できる。任意のその他の適切なタイプの流体経路が、潤滑剤ポート３０６ａ、３０７ａ、３１２ａ、３２０ａ、３２８ａ、３３０ａに潤滑剤を導くための潤滑剤送出導管にさらに及び／又は或いは組み込まれることができる。
【００６８】
潤滑剤は、上方顎部３０４の２つのボア３６９（図２２を参照されたい）、及びボア３６９を流体的に連結する中間の供給ライン３７１（図２３を参照されたい）を介して潤滑剤供給ライン３６７から潤滑剤ポート３０７ａに供給される。
【００６９】
図２５、２６、及び２７に示されるように、潤滑剤供給ライン３６７は、上方顎部３０４の相互連結する長手方向のボア４００、垂直のボア４１０、及び横断方向のボア４２０、並びに摩耗プレート３２０の嵌合する横断方向のボア４３０を介して、摩耗プレート３２０の潤滑剤ポート３２０ａに流体的に連結する。図２５に示されるように、潤滑剤が開口を通って流出するのを防止するために、ボア４１０の上方開口、及びボア４００の前方開口がプラグ止めされる。図２７に示されるように、潤滑剤がボア４００、４１０、４２０、４３０を介して供給ライン３６７からポート３２０ａに流れるように、摩耗プレート３２０が上方顎部３０４に装着された場合にボア４２０、４３０が互いに整列する。
【００７０】
図２５及び２８に示されるように、潤滑剤供給ライン３６７は、上方顎部３０４の相互連結する垂直のボア４５０、及び横断方向のボア４６０、並びに第２のブレード３１２の嵌合する横断方向のボア４７０を介して、第２のブレード３１２の潤滑剤ポート３１２ａに流体的に連結する。ボア４５０の下方の開口はプラグ止めされる。潤滑剤がボア４５０、４６０、４７０を介して供給ライン３６７からポート３１２ａに流れるように、第２のブレード３１２が上方顎部３０４に装着された場合にボア４６０、４７０が互いに整列する。
【００７１】
潤滑剤の送出導管は、潤滑剤ポンプ３４２からせん断機３００の様々な摩耗部分の摩耗面上の潤滑剤ポート３０６ａ、３０７ａ、３１２ａ、３２０ａ、３２８ａ、３３０ａに延びる。図示された潤滑剤送出導管は、潤滑剤送出ライン３６７、ＳＳＶバルブ３４６、潤滑剤送出ライン３６４、潤滑剤ポート３０６ａ、３０７ａ、３１２ａ、３２０ａ、３２８ａ、３３０ａ、様々な導管フィッティング、コネクタ、様々なボア（例えばボア４００、４１０、４２０、４３０、４４０、４５０、４６０、４７０）、機械加工された通路、チャネル、流体ライン、及び／又はプラグを備える。しかし、潤滑剤送出導管の１つ又は複数のこれらの部分は、本発明の範囲からそれずに除外できる。例えば、潤滑剤ポート３０６ａ、３０７ａ、３１２ａ、３２０ａ、３２８ａ、３３０ａのうちの特定の１つへのいくつかの流体通路は、より多い又はより少ない導管の構成要素を含むことができる。
【００７２】
潤滑システム３４０は、従来の上方顎部を上方顎部３０４と交換することによって従来の非潤滑のせん断機の上に後付けすることができる。ポンプ３４２及び関連する供給ライン３６４は、任意の都合のよい位置に配置でき、液圧制御ラインに動作的に連結される。このようにして、効率的に費用効果を高くして、潤滑剤が従来の非潤滑のせん断機に提供できる。
【００７３】
別の実施例では、ＳＳＶバルブ３４６が使用されない。その代わりに、１つ又は複数の様々な潤滑ポート３０６ａ、３０７ａ、３１２ａ、３２０ａ、３２８ａ、３３０ａが互いに、また相互連結された流体通路の経路網を介して流体送出ライン３６４に流体的に連結する。都合がよければ、流体の通路を連結することができるので、そのような通路を相互連結することにより、流体経路の構成要素の全体の数が減少する。そのような実施例では、相互連結された潤滑ポートは同時に潤滑される。適切な潤滑剤が各ポート３０６ａ、３０７ａ、３１２ａ、３２０ａ、３２８ａ、３３０ａに確かに到達するように、潤滑ポート３０６ａ、３０７ａ、３１２ａ、３２０ａ、３２８ａ、３３０ａに、又はその付近に、適切なオリフィス及び／又はその他の流れ制御デバイスを加えることができる。流れ制御デバイスは、各ポート３０６ａ、３０７ａ、３１２ａ、３２０ａ、３２８ａ、３３０ａに均等な潤滑剤の分配をもたらすように設計できる。或いは、流れ制御デバイスは、より多い体積の潤滑剤を潤滑剤ポートに導き、それによって比較的より多くの潤滑を保証することができる。或いは、ＳＳＶバルブ３４６は、異なるポート３０６ａ、３０７ａ、３１２ａ、３２０ａ、３２８ａ、３３０ａにそれぞれ異なる体積の潤滑剤を保証されるように供給するように設計することができる。
【００７４】
図２９は、本発明の別の実施例による下方顎部５０２を示す。下方顎部５０２は、上述の下方顎部１０２、３０２とほぼ同様である。しかし、第１及び第２ブレード挿入部材の下の下方顎部５０２の内側摩耗面５０２ａが潤滑される点で、下方顎部５０２は上述の下方顎部と異なる。内側摩耗面５０２ａは、隣接するブレード挿入部材（前述のブレード挿入部材２６、１１６、３１６など）の内側摩耗面とほぼ同一平面上にある。潤滑ポート５０２ｂは、内側摩耗面５０２ａに配置される。追加の潤滑ポート５０２ｄが下方顎部５０２の前方のクロス部材５０２ｃの内側摩耗面５０２ｅ上に配置される。潤滑ポート５０２ｄ及び内側摩耗面５０２ｅが交換可能な前方のクロス部材／摩耗プレート上に配置されるが、或いは下方顎部５０２と一体に形成されてもよい。潤滑ポートは、さらに／或いは、内側摩耗面５０２ｅに隣接する顎部５０２の内側表面上の交換可能な前方のクロス部材／摩耗プレートの下に設けることができる。ポート５０２ｂ、５０２ｄは、下方顎部５０２のボア及び／又はその他のチャンネルを介して前述のように潤滑剤供給部に連結する。したがって、表面５０２ａ、５０２ｅが潤滑される。せん断機の動作は、下方顎部５２０の対応する摩耗面（例えば、隣接する第２及び／又は第１ブレード挿入部材）、及び上方顎部（例えば、上方顎部の第１及び／第２ブレード挿入部材（例えば下記のブレード挿入部材５１０、５１２）又は上方顎部のその他の摩耗面（例えば、下記の摩耗面５０４ｂ））をさらに潤滑するように潤滑剤を広げることができる。
【００７５】
図３０及び３１は、本発明の別の実施例による上方顎部５０４を示す。上方顎部５０４は、上方顎部３０４とほぼ同様である。しかし、上方顎部５０４は、さらに及び／又は或いはせん断機の別の摩耗面を潤滑する。図３０に示されるように、潤滑ポート５０４ａは、第１及び第２のブレード挿入部５１０、５１２の上の上方顎部５０４の側方表面５０２ｂに潤滑剤を提供する。同様に、上方顎部５０４の前縁部表面５０４ｄの潤滑ポート５０４ｃは、前縁部表面５０４ｄに潤滑剤を供給する。潤滑ポート５０４ａ、５０４ｃは、上方顎部５０４の一連のボア及びその他の適切な流体通路（例えば、ホース、ＳＳＶバルブなど）を介して潤滑剤供給部に流体的に連結する。
【００７６】
図３０に示されるように、第１及び第２のブレード挿入部５１０、５１２は、挿入部５１０、５１２の側方の側面５１０ｂ、５１２ｂに潤滑剤を提供する潤滑ポート５１０ａ、５１２ａも備える。同様にして、潤滑ポート５４０は、第２の挿入部５１２の上方前面の角と上方顎部５４０との間の交差部分に形成される。潤滑ポート５４０は、上方顎部５０４の前縁部摩耗面に潤滑剤を供給する。潤滑ポート５１０ａ、５１２ａは、貫通ボア５２０を介して挿入部５１０、５１２の内側側方の側面に流体的に連結する。貫通ボア５２０は、上方顎部５０４の一連のボア及び／又はその他の適切な流体通路（例えば、ホース、ＳＳＶバルブなど）を介して潤滑剤供給部に流体的に連結する。図示された実施例では、ボア５２０及び潤滑ポート５４０は、上方顎部５０４に形成された溝５３０と流体的に接続する。ブレード挿入部５１０、５１２が上方顎部５０４に装着されると、溝５３０が密封された流体導管になるように、ブレード挿入部５１０、５１２は、溝５３０を密封する。或いは、溝５３０は、ブレード挿入部５１０、５１２に形成できる。１つ又は複数のシールが、潤滑剤が流体導管から漏出するのを防止するように溝５３０とブレード挿入部５１０、５１２の間の接合部に設けられてもよい。溝５３０は、上方顎部５０４のボア５４０を介して潤滑剤供給部に流体的に連結する。
【００７７】
挿入部５１０、５１２が上方顎部５０４に取り付けられると、チャネル５３０が密封された流体通路を形成する。図示された実施例は、上方顎部５０４のチャネルを利用するが、或いはチャネルは、挿入部５１０、５１２の内側の側方表面に形成できる。或いは、チャネル５２０などの追加のチャネルが省略できるように、ボア５２０が上方顎部５０４のボアと直接的に接合できる。
【００７８】
図３０に示されるように、挿入部５１０、５１２は、ボルト５６０を介して上方顎部５０４に取り付けられる。挿入部５１０、５１２の摩耗面がこれらのボルト５６０及び挿入部５１０、５１２の関連するボルト穴を介して潤滑されるように、流体通路がこれらのボルト５６０を貫通してボルトの頭部の潤滑ポートに延びることができ、それによって挿入部５１０、５１２に配置されたボアの数を減らす。そのようなボアの内側の開口が、適切な流体通路を介して潤滑剤供給部に連結する。せん断機にボルト留めされた任意のその他の摩耗部品が、さらに又は或いはこの方式で潤滑できる。
【００７９】
上述の実施例は、本発明によって潤滑できる様々な摩耗部品を例示する。しかし、本発明は決してこれらの実施例に限定されるものではない。さらなる又は別の摩耗部品が潤滑システムによって潤滑剤を供給されることができる。例えば、下方第１切断ブレード挿入部材１１４も同様に潤滑剤を供給されることができる。そのような実施例では、ブレード挿入部材の面に沿って（下記に詳細に説明された）潤滑剤分散溝を位置付けするのに、第１切断ブレードと関連付けられた（第２切断ブレードと比較して）より限られたブレードのバイパスが検討できる。１つ又は複数の追加の及び／又は別の摩耗面、切断面、ピンで留められた連結部（例えば旋回構造１０６）、安定面、及び下方顎部１０２又は上方顎部１０４の支持面が、本発明の範囲からそれずに潤滑できる。
【００８０】
上述の実施例は、固定されたスティック／下方顎部、及び移動可能な上方顎部を備えるせん断機に配置された潤滑システムを例示する。しかし、潤滑システムは、本発明の範囲からそれずに任意のその他のタイプのせん断機に組み込むことができる。例えば、潤滑システムは、自在型（ｕｎｉｖｅｒｓａｌ）の処理器の顎部に使用でき、そこでは２つの顎部が２つのシリンダによって作動され、それぞれが互いに対して共通のピンの周りをスティックとは独立に旋回する。本発明による潤滑システムは、バケットリンクせん断機（ＢＬＳ）又は鉄筋切断せん断機（ＲＣＳ）に組み込むことができ、そこでは複数の組の顎がスティックの端部に取り付けられ、掘削機のバケット・シリンダから動力を得る。本発明の１つ又は複数の実施例が、それらのすべてが参照によって本明細書に組み込まれる米国特許第４，１９８，７４７号、米国特許第４，５５８，５１５号、米国特許第４，８３８，４９３号、米国特許第５，０６０，３７８号、米国特許第５，１２７，５６７号、及び米国特許第５，５３１，００７号、並びに米国特許出願第２００５−００９１８５２Ａ１号に開示されるような従来のせん断機に組み込まれることができる。
【００８１】
上記に示された実施例では、潤滑された摩耗面がせん断機のその他の面と摺動又はせん断接触（ｓｈｅａｒｉｎｇ  ｃｏｎｔａｃｔ）する表面を備える。しかし、本発明による摩耗面は、この配置に限定されない。例えば、表面は、それ自体でせん断機の別の面と接触しなくても、それがせん断機によって処理される材料と摺動又はせん断接触すれば摩耗面である。摩耗面は、せん断機の通常の動作中に任意のその他の表面と移動接触（ｍｏｖｉｎｇ  ｃｏｎｔａｃｔ）によって摩耗する任意の表面を含む。
【００８２】
本発明による潤滑システムは、潤滑剤を材料の処理せん断機の１つ又は複数の摩耗面の任意の組合せに潤滑剤を供給することができる。摩耗面は、処理される材料に摺動的に係合するせん断摩耗面（例えば、下方ブレード挿入部材１１４、１１６の摩耗面（図４）、上方ブレード挿入部材５１０、５１２の摩耗面５１０ｂ、５１２ｂ（図３０）、下方ブレード挿入部材に隣接する摩耗面５０２ａ、５０２ｅ（図２９）、上方ブレード挿入部材に隣接する摩耗面５０４ｂ、５０４ｄ（図３０）、摩耗プレート３２０の側方の摩耗面（図２２）、ガイド・ブレード１１８の側方の摩耗面（図４））であることができる。上方及び下方顎部の対向するせん断摩耗面は、顎部が互いに対して閉じると、せん断する関係で移動して互いにすれ違う。対向するせん断摩耗面は、このせん断動作中に互いに接触することができ、又は処理される材料がせん断される間隙を作るために互いに間隔を置いたままであることができる。これらのせん断摩耗面は、せん断動作中に処理される材料に間欠的に係合することができる。
【００８３】
摩耗面は、或いは又はさらに、顎部が互いに対して側方に偏るのを防止する側方安定面（例えば、側方ブレード安定装置１２２、１２４の摩耗面１７６ａ（図１１）、弧状の摩耗部材３３０の摩耗面（図２３）、摩耗面３２８（図２２）、上方摩耗プレート３２０上の側方の摩耗面（図２２）、ガイド・ブレード１１８の側方の摩耗面（図４））であることができる。側方安定面は、好ましくは顎部の間の旋回式の連結部から間隔を置いて配置される。例示された実施例では、せん断及び側方安定摩耗面がほぼ平面である。しかし、或いはせん断及び側方安定摩耗面は、本発明の範囲からそれずに任意のその他の適切な形状を有することができる（例えば、凸、凹、湾曲、円筒など）。
【００８４】
せん断、又は側方安定摩耗面を潤滑することに加えて又はその代わりに、本発明による潤滑システムが任意のその他の適切なせん断機の摩耗面を潤滑することができる。例えば、潤滑システムは、顎部の間の旋回式の連結部での摩耗面（例えば、潤滑剤ポート３０６ａによって潤滑される円筒形の摩耗面（図２３））、駆動シリンダと上方顎部の間の旋回式の連結部（例えば、潤滑剤ポート３０７ａによって潤滑される円筒形の摩耗面（図２３））、又は駆動シリンダとスティック構造の間の旋回式の連結部を潤滑することができる。
【００８５】
例示の実施例では、潤滑剤送出導管は、密閉された流体導管を介して潤滑された摩耗面に直接的に潤滑剤を送達する。本発明の別の実施例では、潤滑剤送出導管は、潤滑される摩耗面と、潤滑される摩耗面に面するせん断機の部分に配置された分散ノズルとの間に延出する開放型通路を備える。潤滑システムの動作は、潤滑剤をノズルから出し、空間を通過させ、潤滑される摩耗面の上に放出する。動作は、処理された材料が潤滑剤の分散と干渉しない場合に（例えば、顎部がその開いた位置にある場合に）行われるようにタイミングを決められる。或いは、潤滑の適用は、摩耗面と、せん断機のそのような摩耗面に接触する処理された材料の表面とを同時に潤滑するように、せん断機での材料の処理と同時に行われるようにタイミングを決めることができる。ノズルは、顎部の間の旋回式の連結部の付近に配置でき、それが上方及び下方顎部の摩耗面を潤滑するように潤滑剤を十分に広く分散できる。
【００８６】
本発明の別の実施例によれば、潤滑剤導管は、スポンジ、ブラシなどの潤滑剤を含浸した材料を含む。潤滑剤を含浸した材料は、前述したように潤滑剤をポンプ及びリザーバを介して供給できる。或いは、使用者は、潤滑剤を材料に再び加えることが必要になる前に、程よい時間の長さの間、効果的に動作するのに十分な潤滑剤によって材料が浸されるように、潤滑剤を材料に手動で加えることができる。潤滑剤を含浸した材料は、顎部が互いに対して開き又は閉じるとき摩耗面と摺動接触する位置でせん断機に配置される。したがって、潤滑剤は、せん断機が開閉するごとに材料によって摩耗面に加えられる。
【００８７】
せん断機の動作及び処理された材料の移動が潤滑剤を含浸した材料を損傷し、又はその材料と干渉しないように、潤滑剤を含浸した材料は、せん断機の保護された位置に配置できる。或いは、潤滑剤を含浸した材料は、機械化された移動アームに備えることができる。アームは、せん断機の動作中に潤滑剤を含浸した材料を顎部から離して収容された位置に移動させる。アームはその後、オイルを含浸した材料を潤滑位置に移動させ、そこで潤滑剤を含浸した材料は、せん断機が材料を処理していないときに摩耗面に接触する。アームを収容位置と潤滑位置の間で移動させるために、任意の適切な機構が使用できる（例えば、伸縮動作、旋回動作、複合動作など）。アームは、複数の摩耗面を潤滑するように、潤滑剤を含浸した材料を複数の潤滑位置の間で移動させることができる。
【００８８】
本発明の別の実施例によれば、潤滑剤を含浸した材料は、潤滑剤を吹き付けるデバイスに置き換えられる（例えば、エアロゾル・スプレー缶、潤滑剤噴霧器、空気圧式潤滑剤スプレー装置など）。
【００８９】
この配置によって、金属破壊せん断機が作動されながら、様々な摩耗部品及び摩耗面が自動的に潤滑できる。これによって、様々な摩耗部品の耐用年数を延長し、様々な摩耗部品を潤滑することが所望される度に、動作を停止する必要を無くすことによって生産性を向上させることができる。潤滑は、せん断機の動作中の騒音を低下させることができる。
【００９０】
本発明の特定の実施例を例示の目的で開示し、説明してきたが、開示された実施例への様々な修正、及びそこからの逸脱が当分野の技術者に思いつくであろう。開示された実施例からのこれらの、及びそのような逸脱は、添付の特許請求の範囲の範囲内にあると見なされる。
【図面の簡単な説明】
【００９１】
【図１】従来の高荷重の金属破壊せん断機の右からの斜視図である。
【図２】従来の高荷重の金属破壊せん断機の左からの斜視図である。
【図３】せん断機を開いた、本発明による潤滑システムを組み込む高荷重金属破壊せん断機を示す斜視図である。
【図４】せん断機を開いた、本発明による潤滑システムを組み込む高荷重金属破壊せん断機を示す斜視図である。
【図５】せん断機を閉じた、本発明による潤滑システムを組み込む高荷重金属破壊せん断機を示す斜視図である。
【図６】せん断機を閉じた、本発明による潤滑システムを組み込む高荷重金属破壊せん断機を示す斜視図である。
【図７】本発明による潤滑システムを組み込む、上方顎部アセンブリ又は旋回部分の群が装着されていない、高荷重金属破壊せん断機の下方顎部アセンブリの斜視図である。
【図８】潤滑システムの構成要素を示す詳細図である。
【図９】潤滑剤を与えるために潤滑システムが使用できる様々な可能な摩耗部品を伴う、本発明に従った高荷重金属破壊せん断機に使用するための潤滑システムそのものを示す斜視図である。
【図１０】図９に示される潤滑システム及び摩耗部品の概略図である。
【図１１】本発明による潤滑システムと共に使用するために構成された側方ブレード安定装置を示す斜視図である。
【図１２】本発明による潤滑システムを組み込む、高荷重金属破壊せん断機の下方顎部アセンブリの部分平面図である。
【図１３】図１２の線１３〜１３に沿った断面図である。
【図１４】本発明による側方ブレード安定装置を示す図１３の円で囲んだ部分の拡大図である。
【図１５】本発明による潤滑システムと共に使用するために構成されたガイド・ブレード及びブレード挿入部材を示す斜視図である。
【図１６】図１２の線１６〜１６に沿った断面図である。
【図１７】本発明によるガイド・ブレードを示す図１６の円で囲んだ部分の拡大図である。
【図１８】図１２の線１８〜１８に沿った断面図である。
【図１９】本発明によるブレード挿入部材を示す図１８の円で囲んだ部分の拡大図である。
【図２０】本発明の別の実施例による閉じたせん断機の右側面の部分的に分解された斜視図である。
【図２１】開いた位置にある図２０のせん断機の右側面の部分的に分解された斜視図である。
【図２２】図２０のせん断機の上方顎部の左側面の斜視図である。
【図２３】図２２の上方顎部の右側面の部分的に分解された斜視図である。
【図２４】図２０のせん断機の潤滑システムの斜視図である。
【図２５】図２０のせん断機の上方顎部の部分右側面図である。
【図２６】図２５の線２６〜２６に沿った上方顎部の断面図である。
【図２７】図２５の線２７〜２７に沿った上方顎部の断面図である。
【図２８】図２５の線２８〜２８に沿った上方顎部の断面図である。
【図２９】本発明の別の実施例による金属破壊せん断機の下方顎部の部分斜視図である。
【図３０】本発明の別の実施例による金属破壊せん断機の上方顎部の部分斜視図である。
【図３１】本発明の別の実施例による金属破壊せん断機の上方顎部の部分斜視図である。
【図１】
2008506052.tif 000003
【図２】
2008506052.tif 000004
【図３】
2008506052.tif 000005
【図４】
2008506052.tif 000006
【図５】
2008506052.tif 000007
【図６】
2008506052.tif 000008
【図７】
2008506052.tif 000009
【図８】
2008506052.tif 000010
【図９】
2008506052.tif 000011
【図１０】
2008506052.tif 000012
【図１１】
2008506052.tif 000013
【図１２】
2008506052.tif 000014
【図１３】
2008506052.tif 000015
【図１４】
2008506052.tif 000016
【図１５】
2008506052.tif 000017
【図１６】
2008506052.tif 000018
【図１７】
2008506052.tif 000019
【図１８】
2008506052.tif 000020
【図１９】
2008506052.tif 000021
【図２０】
2008506052.tif 000022
【図２１】
2008506052.tif 000023
【図２２】
2008506052.tif 000024
【図２３】
2008506052.tif 000025
【図２４】
2008506052.tif 000026
【図２５】
2008506052.tif 000027
【図２６】
2008506052.tif 000028
【図２７】
2008506052.tif 000029
【図２８】
2008506052.tif 000030
【図２９】
2008506052.tif 000031
【図３０】
2008506052.tif 000032
【図３１】
2008506052.tif 000033
【手続補正書】
【提出日】平成18年5月5日(2006.5.5)
【手続補正１】
【補正対象書類名】特許請求の範囲
【補正対象項目名】全文
【補正方法】変更
【補正の内容】
【特許請求の範囲】
【請求項１】
材料処理システムであって、
第１の顎部と、
前記第１の顎部に動作的に連結された第２の顎部と、
前記第１の顎部と前記第２の顎部の間の相対的な移動を可能にする動力を備えるアクチュエータと、
第１のせん断摩耗面を有し、前記第１の顎部及び第２の顎部のうちの一方にある第１のせん断摩耗部分とを備え、
システムによって担持され、潤滑剤が潤滑剤導管の第１の端部から流出するとき、潤滑剤を前記第１のせん断摩耗面に供給するように配置された前記第１の端部を有する潤滑剤導管とを備える材料処理システム。
【請求項２】
前記第１のせん断摩耗面が全体的に平面である、請求項１に記載のシステム。
【請求項３】
前記第１のせん断摩耗面が、材料処理システムの動作中に処理される材料に間欠的に接触するように構成される、請求項１に記載のシステム。
【請求項４】
潤滑剤を前記第１のせん断摩耗面に供給するために前記潤滑剤導管に流体的に連結する潤滑剤供給部をさらに備える、請求項１に記載のシステム。
【請求項５】
前記第１のせん断摩耗面が前記第１の顎部にあり、
前記第１の顎部が前記第２の顎部に対して移動するとき、前記潤滑剤導管の前記第１の端部が前記第１の顎部に対して移動し、
前記第１の端部が前記第１のせん断摩耗面に面する、請求項４に記載のシステム。
【請求項６】
前記動力を備えるアクチュエータが前記顎部のうちの１つに旋回的に連結された液圧シリンダを備える、請求項４に記載のシステム。
【請求項７】
前記第１のせん断摩耗部分が前記顎部のうちの１つにブレードを備える、請求項４に記載のシステム。
【請求項８】
前記潤滑剤送出導管の前記第１の端部が、前記第１のせん断摩耗面にある潤滑剤ポートを備える、請求項４に記載のシステム。
【請求項９】
前記第１のせん断摩耗部分が前記顎部のうちの１つにブレードを備える、請求項８に記載のシステム。
【請求項１０】
前記ブレードが、前記顎部のうちの前記１つに取外し可能に装着されたブレード挿入部材を備える、請求項９に記載のシステム。
【請求項１１】
前記顎部のうちの前記１つに溝をさらに備え、前記ブレード挿入部材が、流体導管を形成するために前記溝を密閉し、前記流体導管が前記潤滑剤導管の一部分を定義する、請求項１０に記載のシステム。
【請求項１２】
前記第１の顎部に取外し可能に装着されたブレード挿入部材をさらに備え
前記ブレード挿入部材が第２のせん断摩耗面を有し、
前記第１のせん断摩耗面が、前記第２の摩耗面に隣接する前記第１の顎部の表面を備える、請求項４に記載のシステム。
【請求項１３】
前記第１及び第２の摩耗面が互いにほぼ同一平面上にある、請求項１２に記載のシステム。
【請求項１４】
第２のせん断摩耗面を有する第２のせん断摩耗部分をさらに備え、前記システムの動作中に前記第２の顎部が前記第１の顎部に対して移動すると、前記第１及び第２のせん断摩耗面がせん断する関係で互いに対して移動するように構成されている、請求項４に記載のシステム。
【請求項１５】
前記第１及び第２のせん断摩耗面が、それらが互いにそばを移動するとき、互いから間隔を置いた状態を保つことができる、請求項１４に記載のシステム。
【請求項１６】
前記システム上にある少なくとも１つのさらなる摩耗面をさらに備え、前記潤滑剤導管が、潤滑剤を前記第１のせん断摩耗面と前記少なくとも１つのさらなる摩耗面に分配するように構成された潤滑剤分配器バルブを備える、請求項４に記載のシステム。
【請求項１７】
前記潤滑剤分配器バルブが、潤滑剤を前記第１のせん断摩耗面、及び前記少なくとも１つのさらなる摩耗面に順次に分配する、請求項１６に記載のシステム。
【請求項１８】
第２の摩耗面を有する第２の摩耗部分をさらに備え、
前記第１のせん断摩耗部分が前記第１の顎部にあり、
前記第２の摩耗部分が前記第２の顎部にあり、
前記潤滑剤導管が、潤滑剤を前記第２の摩耗面に供給するように配置された第２の端部を備える、請求項４に記載のシステム。
【請求項１９】
前記潤滑剤導管に動作的に連結された動力を備える潤滑剤ポンプ、及び潤滑剤を前記潤滑剤供給部から前記潤滑剤導管の前記第１の端部にポンプ送出するための前記潤滑剤供給部をさらに備える、請求項４に記載のシステム。
【請求項２０】
前記潤滑剤導管が、潤滑剤分配器バルブを備え、
前記システムが第２の摩耗面を有する第２の摩耗部分をさらに備え、
前記潤滑剤導管が、潤滑剤が前記潤滑剤導管の前記第２の端部を通って流れるとき、潤滑剤を前記第２の摩耗面に供給するように位置付けられた第２の端部を備え、
前記潤滑剤分配装置バルブが、潤滑剤を前記ポンプから前記潤滑剤導管の前記第１及び第２の端部に分配する、請求項１９に記載のシステム。
【請求項２１】
前記潤滑剤導管の前記第１及び第２の端部が、前記第１の顎部及び第２の顎部の間の動作的な連結部の一部分、前記顎部のうちの１つと前記動力を備えるアクチュエータとの間の移動可能な連結部の一部分、他方の顎部に装着された側方ブレード安定装置に側方の荷重を伝達するように構成された前記顎部のうちの１つの側方摩耗部分、又は前記顎部のうちの１つのブレードのうちの異なるものに潤滑剤を供給するように位置付けられた、請求項２０に記載のシステム。
【請求項２２】
前記システムがせん断機の本体を備え、
前記第１及び第２の顎部が前記本体に動作的に連結され、
前記潤滑剤ポンプが前記本体内に配置され、
前記動力を備えたアクチュエータが、前記本体に対して前記第１の顎部を移動させ、前記潤滑剤導管が前記ポンプから前記第１の顎部内に延びる、請求項１９に記載のシステム。
【請求項２３】
前記第１の顎部が、前方の摩耗面を有する穿孔チップ部分を備え、
前記第２の顎部が内側摩耗面を有する前方のクロス部材を備え、
前記第１のせん断摩耗面が、前記前方の摩耗面及び前記内側摩耗面のうちの１つによって定義される、請求項４に記載のシステム。
【請求項２４】
第１の顎部と、
前記第１の顎部に旋回的に連結された第２の顎部と、
前記第１の顎部と前記第２の顎部の間の相対的な移動を可能にする動力を備えるアクチュエータと、
前記第１の側方安定摩耗部分が、前記顎部の間の前記旋回的な連結部から間隔を置いて配置された第１の側方安定摩耗面を有する、前記第１の顎部の第１の側方安定摩耗部分と、
前記システムによって担持され、潤滑剤が前記潤滑剤導管の前記第１の端部から流出するとき、潤滑剤を前記第１の側方安定摩耗面に供給するように位置付けられた第１の端部を有する潤滑剤導管と、
前記システムによって担持され、潤滑剤を前記第１の側方安定摩耗面に供給するための前記潤滑剤導管に流体的に連結された液圧式潤滑剤ポンプとを備える材料処理システム。
【請求項２５】
前記第２の顎部上にある第２の側方安定摩耗部分をさらに備え、前記第２の側方安定摩耗部分が第２の側方安定摩耗面を有し、前記第１の顎部が材料処理中に前記第２の側方安定摩耗部分に向かって側方にそれる場合、前記第１の側方安定摩耗部分が側方の荷重を前記第２の側方安定摩耗部分に伝達するように構成される、請求項２４に記載のシステム。
【請求項２６】
第１の顎部及び第２の顎部であって、それらの間の相対的な移動のために連結される前記第１の顎部及び第２の顎部と、
前記第１の顎部のせん断摩耗面と、
少なくとも部分的には前記第１の顎部によって担持され、潤滑剤を前記摩耗面の上に射出するように配置された出口を有する潤滑剤導管とを備える材料処理せん断機。
【請求項２７】
第１の顎部と、
前記第１の顎部に動作的に連結された第２の顎部と、
前記顎部の間の前記旋回的な連結部から間隔を置いて配置された、前記第１の顎部の第１の側方安定摩耗面と、
少なくとも部分的には前記第１の顎部によって担持され、潤滑剤を前記側方安定摩耗面の上に射出するように配置された出口を有する潤滑剤導管と、
前記システムによって担持され、潤滑剤を前記第１の側方安定摩耗面に供給するための前記潤滑剤導管に流体的に連結された液圧式潤滑剤ポンプとを備える材料処理せん断機。
【請求項２８】
取付面を備える顎部を有する材料処理せん断機に使用するためのブレード挿入部材であって、前記取付面に対して前記ブレード挿入部材が取り付けられるように構成され、前記ブレード挿入部材が、
せん断摩耗面及び切断縁部を有し、前記ブレード挿入部材を前記顎部への動作位置に固定できるようにする固定領域を有する本体と、
潤滑剤を前記せん断摩耗面に導くための前記本体内の潤滑剤導管であって、前記潤滑剤導管が前記顎部の対応する潤滑剤供給導管に嵌合するように配置される前記潤滑剤導管とを備えるブレード挿入部材。
【請求項２９】
前記摩耗面に沿って形成され、前記潤滑剤導管に流体的に連結された潤滑剤分散溝をさらに備える、請求項２８に記載のブレード挿入部材。
【請求項３０】
前記潤滑剤導管が前記本体を貫通して延びるボアを備える、請求項２８に記載のブレード挿入部材。
【請求項３１】
前記潤滑剤導管が前記本体内の溝を備える、請求項２８に記載のブレード挿入部材。
【請求項３２】
取付面を備える顎部を有する材料処理せん断機に使用するための摩耗プレートであって、前記取付面に対して前記摩耗プレートが取り付けられるように構成され、前記摩耗プレートが、
摩耗面を有し、前記摩耗プレートを前記顎部への動作位置に固定できるようにする固定領域を有する本体と、
潤滑剤を前記摩耗面に導くために前記本体に配置された潤滑剤導管であって、前記潤滑剤導管が前記顎部の対応する潤滑剤供給導管に嵌合するように配置された前記潤滑剤導管とを備え、
前記摩耗プレートが穿孔チップを備え、前記穿孔チップが、中心の横断方向の軸の周りを１８０°だけ回転し、前記顎部の前記取付面に対して復座できるように構成される摩耗プレート。
【請求項３３】
前記摩耗面が前記穿孔チップの前方の表面にある、請求項３２に記載の摩耗プレート。
【請求項３４】
前記摩耗面が前記穿孔チップの側方表面にある、請求項３２に記載の摩耗プレート。
【請求項３５】
取付面を備える顎部を有する材料処理せん断機に使用するための摩耗プレートであって、前記取付面に対して前記摩耗プレートが取り付けられるように構成され、前記摩耗プレートが、
摩耗面を有し、前記摩耗プレートを前記顎部への動作位置に固定できるようにする固定領域を有する本体と、
潤滑剤を前記摩耗面に導くために前記本体に配置された潤滑剤導管であって、前記潤滑剤導管が前記顎部の対応する潤滑剤供給導管に嵌合するように配置された前記潤滑剤導管とを備え、
前記摩耗プレートが前方のクロス部材を備え、前記摩耗面が前記前方のクロス部材の内側表面にある摩耗プレート。
【請求項３６】
前記固定領域がボルト穴を備える、請求項２８に記載のブレード挿入部材。
【請求項３７】
前記潤滑剤導管が前記ボルト穴から間隔を置いて配置され、前記潤滑剤導管が前記ボルト穴よりも実質的に小さな断面領域を有する、請求項３６に記載のブレード挿入部材。
【請求項３８】
前記潤滑剤導管が前記ボルト穴を貫通して延びる、請求項３６に記載のブレード挿入部材。
【請求項３９】
取付面を有し、それに対して前記ブレード挿入部材が取り付けられる第１の顎部と、
前記第１の顎部に動作的に連結された第２の顎部と、
前記第１の顎部と前記第２の顎部の間の相対的な移動を可能にする動力を備えるアクチュエータと、
前記第１の顎部に配置され、前記ブレード挿入部材の前記潤滑剤導管に流体的に連結された潤滑剤供給導管とを備える、材料処理せん断機と組み合わさった、請求項２８に記載のブレード挿入部材。
【請求項４０】
潤滑剤を前記せん断摩耗面に供給するために前記潤滑剤供給導管に流体的に連結された潤滑剤供給部をさらに備える、請求項３９に記載の組合せ。
【請求項４１】
材料処理せん断機を潤滑する方法であって、前記せん断機が第２の顎部に移動可能に連結された第１の顎部を備え、前記顎部のうちの１つがせん断摩耗面を有し、前記せん断機が前記顎部のうちの一方を前記顎部の他方に対して移動可能に駆動させる、動力を備えるアクチュエータを備え、前記方法が前記せん断機によって担持された潤滑剤導管を介して潤滑剤を前記せん断摩耗面に加えるステップを含む方法。
【請求項４２】
前記潤滑剤導管が前記せん断摩耗面に配置された潤滑剤ポートを備える、請求項４１に記載の方法。
【請求項４３】
前記潤滑剤導管が前記せん断機内から前記せん断摩耗面に延出する、請求項４１に記載の方法。
【請求項４４】
潤滑剤が前記潤滑剤導管を通って流れるとき、前記潤滑剤導管が潤滑剤を前記せん断摩耗面に供給するように位置付けられた第１の端部を備える、請求項４１に記載の方法。
【請求項４５】
動力を備える潤滑ポンプを介して、潤滑剤を前記潤滑剤導管に供給するステップをさらに備える、請求項４１に記載の方法。
【請求項４６】
前記動力を備えるアクチュエータが液圧シリンダを備え、前記方法はさらに、前記液圧シリンダを動作させることによって前記動力を備える潤滑剤ポンプに動力を与えるステップを備える、請求項４５に記載の方法。
【請求項４７】
潤滑された材料処理システムを作る方法であって、前記方法が、
第１の顎部を第２の顎部に移動可能に連結するステップであって、前記第１の顎部が第１のせん断摩耗面を有する第１のせん断摩耗部分を備えるステップと、
前記潤滑導管の第１の端部が、潤滑剤を前記第１のせん断摩耗面に供給するように位置付けされるように、潤滑剤導管を前記顎部のうちの１つに装着するステップと、
前記潤滑剤ポンプの動作によって潤滑剤がポンプ送出され、前記潤滑剤導管を通って、前記第１のせん断摩耗面の上に達するように、潤滑剤ポンプを前記潤滑導管に動作的に連結するステップとを含む方法。
【請求項４８】
前記第１の顎部を前記第２の顎部に移動可能に連結する前に、前記第２の顎部から第３の顎部を取り外すステップをさらに備え、
前記潤滑剤導管が前記第１の顎部を貫通して延び、
前記第３の顎部が潤滑剤導管を備えない、請求項４７に記載の方法。
【請求項４９】
前記第１の側方安定摩耗面が、前記第１と第２の顎部の間の前記相対的な移動の前記方向に平行である、請求項２４に記載の材料処理システム。
【請求項５０】
前記側方安定摩耗面が、前記第１と第２の顎部の間の相対的な旋回動作の方向に平行である、請求項２７に記載の材料処理システム。
【国際調査報告】
2008506052.tif 000034
2008506052.tif 000035